(57)【特許請求の範囲】
【請求項１】
筆先部のシール部材６の装着部７、装飾部材８の取付部９、及び空気流通路１６を設けた天冠２を形成するとともに、上下両端を開口した筒状のキャップ本体１を形成して、天冠２をキャップ本体１の上端開口部に嵌着した筆記具のキャップであって、
上記天冠２は円筒状に形成され、内面部における周方向の複数箇所に径方向のリブ３を突設し、各リブ３の間に通気用間隙４を形成すると共に、軸方向の略中央部において対向する２つのリブ３の間にブリッジ５を架設して、そのブリッジ５に筆先部のシール部材６が当接するように構成されていることを特徴とする筆記具のキャップ。
【発明の詳細な説明】
【０００１】
【発明の属する技術分野】
本発明は筆記具のキャップに関する。
【０００２】
【従来の技術】
従来、図６に示すように、キャップ本体２０の内部に筆先部のシール部材２１を装着する内筒部２２を一体的に設けるとともに、その内筒部２２を支持するために内筒部２２の周囲の複数箇所にリブ２３を設け、さらに、各リブ２３の間に通気用の間隙２４を設け、又、キャップ本体２０の上端開口部に天冠２５を装着して、その天冠２５に装飾部材２６を組み付けて成る筆記具のキャップが存在する。
【０００３】
上記のような構造の筆記具のキャップは、内筒部２２、リブ２３、及び通気用の間隙２４等をキャップ本体２０の内部に設けるので、キャップ本体２０の内部構造が複雑で、金型により成形する場合に離型抵抗が大きくなり、材料に離型性の劣る樹脂を使用できず、材料選択が制限されてしまうという不満があった。
【０００４】
ところで、筆記具のキャップに透明樹脂、特に、嵌合耐久性に優れて品質向上が期待でき、かつ、材料単価が低くてコストダウンを図れるＰＥＴ（ポリエチレンテレフタレート）の使用が強く望まれている。しかしながら、ＰＥＴは離型性が劣るので上記のような構造の従来の筆記具のキャップには使用することができなかった。
【０００５】
【発明が解決しようとする課題】
そこで本発明は、ＰＥＴのような離型性の劣る樹脂を用いてもキャップ本体を成形できてキャップ本体の材料が制限されず、しかも、筆先部のシールと通気性を確保できて装飾部材も取付けることができる筆記具のキャップを提供することを課題とする。
【０００６】
【課題を解決するための手段】
本発明の筆記具のキャップは、上記の課題を解決するものであって、筆先部のシール部材６の装着部７、装飾部材８の取付部９、及び空気流通路１６を設けた天冠２を形成するとともに、上下両端を開口した筒状のキャップ本体１を形成して、天冠２をキャップ本体１の上端開口部に嵌着した筆記具のキャップであって、上記天冠２は円筒状に形成され、内面部における周方向の複数箇所に径方向のリブ３を突設し、各リブ３の間に通気用間隙４を形成すると共に、軸方向の略中央部において対向する２つのリブ３の間にブリッジ５を架設して、そのブリッジ５に筆先部のシール部材６が当接するように構成されていることを特徴とする。
【０００７】
【作用】
筆先部のシール部材６の装着部７、装飾部材８の取付部９、及び空気流通路１６を天冠２に設けたので、キャップ本体１の内部には天冠２の係止部と、軸筒本体に対する係止部を設ければよく、キャップ本体１の形状をシンプルな筒状にして金型成形時の離型性を向上することができる。
【０００８】
【実施例】
以下、図１〜図５に示した本発明の実施例について説明する。このキャップは図１に示すようにキャップ本体１と天冠２とを組み付けることによって構成されている。天冠２は、図２〜図５に示すように、内面部における周方向の６箇所に径方向のリブ３を突設して、各リブ３の間に通気用間隙４を形成している。そして、軸方向の略中央部において対向する２つのリブ３の間にブリッジ５を架設して、そのブリッジ５に筆先部のシール部材６が当接するようになっている。シール部材６は軟質ゴム等の材料で形成され形状は球状を呈している。シール部材６は、図１に示すように、径方向の中心部に挿入されて各リブ３の先端縁によって挟着され、かつ、上記のようにブリッジ５により位置決めされて保持される。すなわち、図中、符号７で示す箇所がシール部材６の装着部になっている。また、天冠２の天面における径方向の中心部には、マスコット人形等の装飾部材８の取付部９を設けている。この取付部９は装飾部材８の脚部１０を挿入可能な筒状を呈し、その下半部はテーパ状に内径を縮小した係止筒部１１となっている。その係止筒部１１は一部に溝１２を有している。図１に示すように、装飾部材８の脚部１０はスリ割り１３を有して弾性変形が容易になっている。また、脚部１０の先端には係止鍔部１４を設けている。装飾部材８の脚部１０を取付部９に挿入すると、脚部１０の係止鍔部１４が係止筒部１１を弾性変形により乗り越えて係止筒部１１の先端縁に係止する。天冠２の天面における装飾部材８の取付部９の周囲には断続的に環状の凹部１５を設けている。その凹部１５は上記の通気用間隙４と開通している。すなわち、通気用間隙４と凹部１５とによって空気流通路１６を構成している。また、天冠２の側面部にはキャップ本体１に対する係止凸部１７を設けている。なお、クリップを設ける場合は、天冠２に一体的に設けてもよい。
【０００９】
一方、キャップ本体１は、図１に示すように、上下両端を開口したシンプルな筒状を呈して、その内面部に天冠２の係止凸部１７と係合する係止凸部１８を設けるとともに、筆記具の軸筒と係合する係止凸部１９を設けている。天冠２はシール部材６を装着してからキャップ本体１に嵌合係止し、その後、天冠２の取付部９に装飾部材８を組み付けてキャップが完成する。
【００１０】
【発明の効果】
本発明の筆記具のキャップは、上記のように構成されることにより、キャップ本体１の形状をシンプルな筒状にして金型成形時の離型抵抗を小さくすることができる。したがって、ＰＥＴのような離型性の劣る樹脂の使用も可能になって、材料選択の範囲が広くなる有利がある。また、空気流通路１６を天冠２に確保しているので誤飲しても窒息を防止することができ、かつ、装飾部材８を天冠２に取付けることができるので消費者にアピールすることができ、さらに、シール部材６を天冠２に装着できるので筆先部からのインクの蒸発を防止することができる。また、部品点数も従来品に比べて増えることはないのでコストアップを避けることができる。なお、装飾部材８の取付部９、及びシール部材６の装着部７を上記実施例のような構造にすることによって、天冠２を金型によって容易に成形できるという利点も得られる。
【図面の簡単な説明】
【図１】キャップ全体の断面図である。
【図２】天冠の平面図である。
【図３】図２のＡ−Ａ線における断面図である。
【図４】図２のＢ−Ｂ線における断面図である。
【図５】図３のＣ−Ｃ線における断面図である。
【図６】従来例のキャップ全体の断面図である。
【符号の説明】
１ キャップ本体
２ 天冠
３ リブ
４ 通気用間隙
５ ブリッジ
６ シール部材
７ シール部材の装着部
８ 装飾部材
９ 取付部
１０ 脚部
１１ 係止筒部
１２ 溝
１３ スリ割り
１４ 係止鍔部
１５ 凹部
１６ 空気流通路
１７ 係止凸部
１８ 係止凸部
１９ 係止凸部
２０ キャップ本体
２１ シール部材
２２ 内筒部
２３ リブ
２４ 通気用の間隙
２５ 天冠
２６ 装飾部材
【図１】
0003939845.tif 000002
【図２】
0003939845.tif 000003
【図３】
0003939845.tif 000004
【図４】
0003939845.tif 000005
【図５】
0003939845.tif 000006
【図６】
0003939845.tif 000007